(57)【要約】      （修正有）【課題】化粧品容器の中の液体香料の利用効率を向上させることができる化粧品容器を提供する。【解決手段】化粧品容器は、シェル１０、押し部材２０、容器部材３０、連結スリーブ４０、ブラシ部材５０、位置決めスリーブ６０、及びキャップ７０を具える。押し部材２０及び容器部材３０は、シェル１０に設けられる。容器部材３０は、押し部材２０の下に位置する。連結スリーブ４０は、シェル１０の底部開口に設けられる。ブラシ部材５０、位置決めスリーブ６０及びキャップ７０は、連結スリーブ４０に設けられる。ブラシ部材５０は、容器部材３０に当接し、容器部材３０と連通する。位置決めスリーブ６０は、ブラシ部材５０に当接する。ブラシ部材５０の硬い毛５１２は、位置決めスリーブ６０から延びる。キャップ７０は、連結スリーブ４０に設けられる。【選択図】図１
0003220426.tif 000002
【実用新案登録請求の範囲】
【請求項１】
シェルと、
押し部材と、
容器部材と、
連結スリーブと、
ブラシ部材と、
位置決めスリーブと、
キャップを具える化粧品容器であって、
前記シェルが、該シェルに形成されたチェインバ、前記シェルの上面に形成され前記チェインバと連通する頂部開口、前記シェルの底面に形成され前記チェインバと連通する底部開口を具え、
前記押し部材が、前記シェルに可動に設けられ前記シェルの頂部開口と向かい合い、
前記容器部材が、前記シェルのチェインバに設けられ前記押し部材の下に位置し、
前記連結スリーブが、前記シェルに設けられ前記シェルの底部開口を通って挿入され、
前記ブラシ部材が、前記連結スリーブに設けられ、前記シェルのチェインバと連通し、ブラシヘッドとスプレーヘッドを有し、前記ブラシヘッドが前記連結スリーブに設けられシートと複数の硬い毛を有し、前記シートが前記連結スリーブに設けられ内側底面、前記シートの底面に形成された組立凹部、及び前記シートの内側底面に形成され前記組立凹部と連通する入口を具え、前記硬い毛が前記組立凹部に設けられ、前記スプレーヘッドが前記シートに設けられ、前記容器部材に当接し、前記入口及び容器部材と連通し、
前記位置決めスリーブが前記連結スリーブに設けられ、前記シートに当接し、前記ブラシヘッドの硬い毛が前記位置決めスリーブから延び、
前記キャップが前記連結スリーブに設けられ、前記ブラシヘッドの硬い毛と前記位置決めスリーブを覆う、
化粧品容器。
【請求項２】
前記連結スリーブが内側面と、前記連結スリーブの内側面を貫通して形成された複数の保持孔を有し、前記位置決めスリーブが外側面と複数の保持部を有し、該保持部が前記位置決めスリーブの外側面に形成され、該外側面から突出し、前記保持孔にそれぞれ挿入される、請求項１の化粧品容器。
【請求項３】
前記連結スリーブが該連結スリーブの内側面に形成された複数の保持溝と前記連結スリーブに形成された複数の保持凸部を有し、前記保持溝のそれぞれが縦断面と横断面を有し、前記縦断面の下端部が前記連結スリーブの底面まで延び、前記横断面が前記縦断面の上端部に連結され、前記保持凸部が前記保持溝の横断面にそれぞれ挿入され、
前記シートが該シートの外側面に形成され該外側面から突出する複数の保持ブロックを有し、
前記保持ブロックのそれぞれが上面と前記保持ブロックの上面に形成された保持凹部を有し、前記保持ブロックは前記保持溝の縦断面にそれぞれ挿入され、前記横断面内にそれぞれ移動し、前記保持凸部が前記保持ブロックの保持凹部にそれぞれ挿入される、請求項１の化粧品容器。
【請求項４】
前記シートが内側面と前記シートの内側面に形成された第一係合部を有し、前記スプレーヘッドが外側面と第二係合部を有し、前記第二係合部が前記スプレーヘッドの外側面に形成され前記第一係合部に挿入され、前記第一係合部が前記シートの内側面に形成された環状凹部を有し、前記第二係合部が前記環状凹部に挿入される環状凸部を有する、請求項２の化粧品容器。
【請求項５】
前記シートが内側面と前記シートの内側面に形成された第一係合部を有し、該第一係合部が前記シートの内側面に形成された環状凹部と複数の長方形凹部を有し、該長方形凹部が前記シートの内側面に間隔を置いて形成され、環状凹部と連結され、前記シートの上面まで延び、
前記スプレーヘッドが第二係合部を有し、該第二係合部が前記スプレーヘッドの外側面に形成され、前記第一係合部に挿入され、環状凸部と複数の長方形凸部を有し、前記環状凸部が前記スプレーヘッドの外側面に形成され、前記環状凹部に挿入され、前記長方形凸部が前記スプレーヘッドの外側面に間隔を置いて形成され、前記環状凸部連結され、前記長方形凹部にそれぞれ挿入される、請求項３の化粧品容器。
【請求項６】
前記シェルが前記シェルの内側面に形成され、接続溝と複数の回転防止溝を有する第一接続部を具え、前記回転防止溝が前記接続溝に連結され、前記シェルの底面まで延び、前記底部開口と連通し、
前記連結スリーブが前記連結スリーブの外側面に形成され、接続凸部と複数の回転防止凸部を有する第二接続部を具え、前記接続凸部が前記接続溝に挿入され、前記回転防止凸部が前記接続凸部に連結され、前記回転防止溝に挿入される、請求項１乃至５のいずれかの化粧品容器。
【請求項７】
前記シェルが頂部スリーブと底部スリーブを具え、前記頂部開口が前記頂部スリーブに形成され、該頂部スリーブが前記頂部スリーブの外側面を貫通して形成された切欠きを有し前記頂部開口と連通し、前記底部スリーブが前記頂部スリーブに取外し可能に設けられ、前記底部開口が前記底部スリーブに形成される、請求項１乃至６の何れかの化粧品容器。
【請求項８】
前記頂部スリーブが該頂部スリーブの内側面に形成された複数の縦シュートを具え、前記押し部材が該押し部材の外側面に形成された複数のガイドブロックを有し前記縦シュートに挿入される、請求項７の化粧品容器。
【請求項９】
前記シートが該シートの外側面に形成された第一連結部を有し、前記位置決めスリーブが該位置決めスリーブの内側面に形成された第二連結部を有し、前記第一連結部が前記第二連結部に挿入される、請求項１乃至５のいずれかの化粧品容器。
【考案の詳細な説明】
【技術分野】
【０００１】
本考案は化粧品容器、特に、使用者の皮膚に香水を付けるためのブラシ部材（ｂｒｕｓｈｉｎｇ  ｄｅｖｉｃｅ）を有する化粧品容器に関する。
【背景技術】
【０００２】
人々は、色々な場面、又は様々なムードによって、異なる香水を吹きかける。従来の化粧品容器は、香水を入れることができ、本体、スプレー装置、及びキャップを具える。本体は、本体に形成されたチェインバ、及び本体の外側面に形成され、且つ、チェインバと連通する開口を有する。スプレー装置は、本体に設けられ、本体の開口を覆い、シート、スプレーヘッド、及び管を具える。シートは、本体に設けられる。スプレーヘッドは、シートに設けられ、シートに対して上下方向に移動することができ、スプレーヘッドの外側面に形成されたスプレー開口を有する。管は、シートに設けられ、且つ、チェインバ及びスプレー開口と連通する。キャップは、本体に設けられ、スプレー装置を覆う。
【０００３】
チェインバに香水を満たしてもよい。使用時、キャップは、本体から取外される。スプレーヘッドは、管によって、香水を引出すために押される。香水は、スプレー開口から噴霧される。
【０００４】
しかしながら、スプレー型の香水の噴霧範囲は広く、使用時、スプレー型の香水のほんの一部しか実際使用者の皮膚に噴霧されず、残りは空気中に噴霧される。従来の化粧品容器は、スプレー型で香水を噴霧する。スプレー型の香水は、使用者の皮膚に完全に噴霧されず、無駄になる。
【考案の概要】
【考案が解決しようとする課題】
【０００５】
本考案の主な目的は、化粧品容器の中の液体香料の利用効率を向上させるために、従来の化粧品容器の課題を解決できる化粧品容器を提供することである。
【課題を解決するための手段】
【０００６】
化粧品容器は、シェル、押し部材、容器部材（ｃｏｎｔａｉｎｉｎｇ  ｄｅｖｉｃｅ）、連結スリーブ、ブラシ部材、位置決めスリーブ、及びキャップを具える。シェルは、シェルに形成されたチェインバ、シェルの上面に形成された頂部開口、及びシェルの底面に形成された底部開口を具える。頂部開口及び底部開口は、チェインバと連通する。
【０００７】
押し部材は、シェルに可動に設けられ、頂部開口と向かい合う。容器部材は、チェインバに設けられ、押し部材の下に位置する。連結スリーブは、シェルに設けられ、底部開口を通って延びる。
【０００８】
ブラシ部材は、連結スリーブに設けられ、ブラシ頭部及びスプレーヘッドを具える。ブラシ頭部は、連結スリーブに設けられ、シート、及び複数の硬い毛を有する。シートは、連結スリーブに設けられ、組立凹部、及び入口を有する。組立凹部は、シートの底面に形成される。入口は、シートの内側底面に形成され、組立凹部と連通する。硬い毛は、組立凹部の中に設けられる。スプレーヘッドは、シートに設けられ、容器部材に当接し、入口及び容器部材と連通する。
【０００９】
位置決めスリーブは、連結スリーブに設けられ、シートに当接する。硬い毛は、位置決めスリーブから延びる。キャップは、連結スリーブに設けられ、硬い毛及び位置決めスリーブを覆う。
【図面の簡単な説明】
【００１０】
【図１】本考案の化粧品容器の第１実施例の分解斜視図。
【図２】図１の化粧品容器の他の分解斜視図。
【図３】図１の化粧品容器の斜視図。
【図４】図３の化粧品容器の正面図。
【図５】図４の線５−５に沿った化粧品容器の一部分の断面図。
【図６】図４の線６−６に沿った化粧品容器の一部分の断面図。
【図７】図５の化粧品容器の操作中の断面図。
【図８】本考案の化粧品容器の第２実施例の分解斜視図。
【図９】図８の化粧品容器の他の分解斜視図。
【図１０】図８の化粧品容器の一部分の断面図。
【図１１】図８の化粧品容器の一部分の他の断面図。
【図１２】図１０の化粧品容器の操作中の断面図。
【考案を実施するための形態】
【００１１】
図１、２、８及び９を参照して、本考案の化粧品容器は、シェル１０、押し部材２０、容器部材３０、連結スリーブ４０、ブラシ部材５０、位置決めスリーブ６０、及びキャップ７０を具える。
【００１２】
図１、２、８及び９を参照して、シェル１０は、上面、底面、セル１０に形成されたチェインバ１１、頂部開口１２、及び底部開口１３を具える。頂部開口１２は、シェル１０の上面に形成され、チェインバ１１と連通する。底部開口１３は、シェル１０の底面に形成され、チェインバ１１と連通する。図２、３、６及び９を参照して、シェル１０は、頂部スリーブ１４、及び頂部スリーブ１４に着脱可能に設けられた底部スリーブ１５を具える。頂部開口１２は、頂部スリーブ１４に形成される。頂部スリーブ１４は、頂部スリーブ１４の外側面を貫通して形成され、且つ、頂部開口１２と連通する切欠き１６を有する。底部開口１３は、底部スリーブ１５に形成される。さらに、頂部スリーブ１４は、複数の縦シュート１７、位置決め溝１４１、及び位置決め溝１４１に挿入される複数の係合リブ１４２を有する。縦シュート１７、位置決め溝１４１、及び係合リブ１４２は、頂部スリーブ１４の内側面に形成される。加えて、底部スリーブ１５は、複数の係合素子１９を具える。係合素子１９は、底部スリーブ１５に形成され、位置決め溝１４１に挿入される。係合素子１９のそれぞれは、外側面、及び係合凹部１９１を有する。係合リブ１４２のそれぞれは、頂部スリーブ１４及び底部スリーブ１５をしっかりと組立てるために、対応する係合凹部１９１に挿入されて、係合する。
【００１３】
押し部材２０は、シェル１０に可動に設けられ、頂部開口１２と向かい合う。図２、３、６及び９を参照すると、押し部材２０は、押し部材２０の外側面に形成され、且つ、頂部開口１２で押し部材２０を保持すべく縦シュート１７に挿入される複数のガイドブロック２１を具える。図５及び１０を参照すると、押し部材２０は、上面、及び押し部材２０の上面に形成された凹面部２２を有する。
【００１４】
容器部材３０は、チェインバ１１に設けられ、押し部材２０の下に位置する。容器部材３０は、本体３１と本体３１に設けられた分注ヘッド３２を有する。本体３１は、本体３１内に形成された空間を有する。
【００１５】
連結スリーブ４０は、シェル１０に設けられ、底部開口１３を通って挿入される。連結スリーブ４０は、フランジ４１を有する。フランジ４１は、連結スリーブ４０の外側面に形成され、そこから突出しており、シェル１０の底面に当接する。
【００１６】
ブラシ部材５０は、連結スリーブ４０に設けられ、チェインバ１１と連通し、ブラシヘッド５１及びスプレーヘッド５２を有する。ブラシヘッド５１は、連結スリーブ４０に設けられ、シート５１１及び複数の硬い毛５１２を有する。シート５１１は、連結スリーブ４０に設けられ、底面、内側底面、組立凹部５１３、及び入口５１４を具える。組立凹部５１３は、シート５１１の底面に形成される。入口５１４は、シート５１１の内側底面に形成され、組立凹部５１３と連通する。硬い毛５１２は、組立凹部５１３の中に設けられる。スプレーヘッド５２は、シート５１１に設けられ、容器部材３０に当接し、入口５１４及び容器部材３０と連通する。さらに、シート５１１は、外側面、及びシート５１１の外側面に形成された第一連結部５１５を有する。
【００１７】
位置決めスリーブ６０は、連結スリーブ４０に設けられ、シート５１１に当接する。硬い毛５１２は、位置決めスリーブ６０から延びる。位置決めスリーブ６０は、内側面、位置決めスリーブ６０の内側面に形成された第二連結部６１を有する。第一連結部５１５は、第二連結部６１に挿入される。
【００１８】
図３〜５及び１０を参照すると、キャップ７０が、連結スリーブ４０に設けられ、硬い毛５１２及び位置決めスリーブ６０を覆う。
【００１９】
図１、２及び５を参照すると、連結スリーブ４０は、内側面及び複数の保持孔４２を有する。保持孔４２は、連結スリーブ４０の内側面を貫通して形成され、フランジ４１の上に位置する。位置決めスリーブ６０は、外側面を有し、複数の保持部６２を有する。保持部６２は、位置決めスリーブ６０の外側面に形成され、そこから突出しており、保持孔４２にそれぞれ挿入される。加えて、シート５１１は、内側面、シート５１１の内側面に形成された第一係合部５５を有する。スプレーヘッド５２は、外側面、及び第二係合部５６を有する。第二係合部５６は、スプレーヘッド５２の外側面に形成され、第一係合部５５に挿入される。さらにまた、第一係合部５５は、シート５１１の内側面に形成された環状凹部５５１を有する。第二係合部５６は、環状凹部５５１に挿入される環状凸部５６１を有する。
【００２０】
図８〜１１を参照すると、連結スリーブ４０は、底面、複数の保持溝４３、及び複数の保持凸部４４を有する。保持溝４３は、連結スリーブ４０の内側面に形成される。保持溝４３のそれぞれは、縦断面４３１、及び横断面４３２を有する。縦断面４３１の下端部は、連結スリーブ４０の底面まで延びる。横断面４３２は、縦断面４３１の上端部に連結される。保持凸部４４は、連結スリーブ４０に形成され、横断面４３２にそれぞれ挿入される。シート５１１は、シート５１１の外側面に形成され、且つ、そこから突出する複数の保持ブロック５３を有する。保持ブロック５３のそれぞれは、上面、保持ブロック５３の上面に形成された保持凹部５４を有する。保持ブロック５３は、それぞれ縦断面４３１に挿入され、それから、それぞれ横断面４３２に挿入される。保持凸部４４は、それぞれ保持凹部５４に挿入される。
【００２１】
図８〜１０を参照すると、第一係合部５５はさらに、複数の長方形凹部５５２を有する。長方形凹部５５２は、間隔を置いてシート５１１の内側面に形成され、環状凹部５５１に連結され、シート５１１の上面まで延びる。第二係合部５６はさらに、複数の長方形凸部５６２を有する。長方形凸部５６２は、間隔を置いてスプレーヘッド５２の外側面に形成され、環状凸部５６１に連結され、長方形凹部５５２にそれぞれ挿入される。
【００２２】
図２及び９を参照すると、シェル１０は、内側面、及び第一接続部１８を有する。第一接続部１８は、シェル１０の内側面に形成され、接続溝１８１、及び複数の回転防止溝１８２を有する。回転防止溝１８２は、接続溝１８１と連通し、シェル１０の底面まで延び、底部開口１３と連通する。連結スリーブ４０は、第二接続部４５を有する。第二接続部４５は、連結スリーブ４０の外側面に形成され、接続凸部４５１及び複数の回転防止凸部４５２を有する。接続凸部４５１は、接続溝１８１に挿入される。回転防止凸部４５２は、接続凸部４５１に連結され、回転防止溝１８２にそれぞれ挿入される。
【００２３】
図１、９及び１０を参照すると、連結スリーブ４０は、スナップリング４６を有する。スナップリング４６は、連結スリーブ４０の外側面に形成され、フランジ４１の下に位置する。キャップ７０は、内側面、及びキャップ７０の内側面に形成された少なくとも一つのスナップブロック７１を有する。キャップ７０が連結スリーブ４０を覆うと、少なくとも一つのスナップブロック７１が、スナップリング４６に当接する。
【００２４】
図６、７及び１２を参照すると、容器部材３０の本体３１の空間は、（例えば香水又はエッセンスのような）液体香料で満たされる。使用時、キャップ７０は、使用者によって取外されてもよい。押し部材２０は、使用者によって押される。ガイドブロック２１は、縦シュート１７に沿って移動する。本体３１の中の液体香料を引出すべく分注ヘッド３２を動かすために、押し部材２０によって、本体３１は、押される。液体香料は、分注ヘッド３２及びスプレーヘッド５２を通り、硬い毛５１２を湿らせるために入口５１４に吹き付けられる。硬い毛５１２の液体香料を皮膚へ移すために、硬い毛５１２で使用者の皮膚にブラシがけをしてもよい。
【００２５】
使用者のニーズを満たすために液体香料の一回の引き出し量をコントロールすべく、本体３１の変位をコントロールするために、押し部材２０の変位は、頂部スリーブ１４及び底部スリーブ１５によって制限される。
【００２６】
図８、９及び１１を参照すると、頂部スリーブ１４は、底部スリーブ１５に着脱可能に設けられる。本体３１の液体香料がなくなると、容器部材３０の交換の便宜上、頂部スリーブ１４は使用者によって回転させられ、底部スリーブ１５から取外される。
【００２７】
異なる香りに変更するために、容器部材３０が交換されてもよいし、ブラシ部材５０を交換してもよい。シート５１１は、使用者によって、回転可能である。保持ブロック５３のそれぞれは、対応する横断面４３２内で移動する。保持凹部５４は、対応する保持凸部４４から離れる。保持ブロック５３のそれぞれは、対応する縦断面４３１を通って下方へ移動し、連結スリーブ４０から取外される。ブラシ部材５０は、連結スリーブ４０に着脱可能に設けられる。ブラシ部材５０は交換に都合がよく、使用者のニーズを満たす。
【００２８】
故に、硬い毛５１２に液体香料を噴霧するために、使用者によって、頂部開口１２に位置する押し部材２０が押されてもよい。硬い毛５１２によって、使用者の皮膚にブラシがけされてもよい。硬い毛５１２に残っている液体香料が実際使用者の皮膚に塗布されてもよい。液体香料は、空気中に吹き付けられない。化粧品容器中の液体香料の利用効率は、増加する。化粧品容器中の液体香料の無駄は、減少する。装飾、宝石、又は衣服への損傷を減らすため、装飾、宝石、又は衣服に、液体香料は、噴霧されない。化粧品容器の使いやすさを向上させるために、液体香料が、硬い毛５１２によって実際使用者の皮膚に塗布される。
【００２９】
加えて、使用者のニーズを満たすために、押し部材２０の変位をコントロールすることによって、容器部材３０の液体香料の引出し量が調整されてもよい。
【００３０】
さらにまた、頂部スリーブ１４は、底部スリーブ１５に着脱可能に設けられる。ブラシ部材５０は、連結スリーブ４０に着脱可能に設けられる。容器部材３０は、交換に便利である。使用者のニーズによれば、容器部材３０及びブラシ部材５０は、異なる香りに変更するために、一緒に交換されてもよい。化粧品容器の実用性は、良好である。
【符号の説明】
【００３１】
１０    シェル
２０    押し部材
３０    容器部材
４０    連結スリーブ
５０    ブラシ部材
６０    位置決めスリーブ
７０    キャップ
【図１】
0003220426.tif 000003
【図２】
0003220426.tif 000004
【図３】
0003220426.tif 000005
【図４】
0003220426.tif 000006
【図５】
0003220426.tif 000007
【図６】
0003220426.tif 000008
【図７】
0003220426.tif 000009
【図８】
0003220426.tif 000010
【図９】
0003220426.tif 000011
【図１０】
0003220426.tif 000012
【図１１】
0003220426.tif 000013
【図１２】
0003220426.tif 000014